(57)【特許請求の範囲】
【請求項１】
容器体口頸部へ嵌合させた装着筒１内から主筒２を起立し、該主筒前面からシリンダ３を、かつ主筒上端から射出筒４を、それぞれ前方突設し、又射出筒前部に枢着させて垂設したトリガー５の上方後部に、シリンダ３内へ嵌合させたプランジャ６前端部を連結し、かつトリガーを前方付勢させ、更に射出筒前端部へ回動可能に液体噴出部を有するノズルキャップ７を嵌合させ、これら嵌合部に、射出筒４に対するノズルキャップ７の回動で、射出筒が有する射出筒孔と液体噴出部とを連通させ、又遮断させることが自在な液体通路開閉機構を設け、トリガー５の前後方向揺動で容器体内液体をシリンダ３内へ吸込み、かつ該シリンダ内液体を射出筒前端から噴出可能に設けたトリガー式液体噴出器において、
上記トリガーは前壁８の左右から側壁９を後方突出して両側壁間後面を後壁１０で閉塞し、かつ後壁の上下両端部を切除してトリガー後面に第１開口部１１と、該第１開口部よりも下方に位置する第２開口部１２とを形成し、
上記トリガーの第１、第２開口部間の閉塞空間へ上下動自在に嵌合させた摺動板１３の上端部後面から第１開口部１１を介してロック板１４を後方突設すると共に、摺動板１３の下端部後面から第２開口部１２を介して指掛け突部１５を後方突設してロック部材１６を形成し、
上記ノズルキャップ下部から垂下部１７を介して後方突出部１８を後方突設し、かつ左右方向の一方を正方向に、かつ他方を反方向に定めて、後方突出部の後部正方向側面から係合部１９をロック板１４下方へ突設して回動アーム２０を形成し、かつ係合部１９をロック板下面へ係合させ、
上記ロック部材１６は、上記液体通路開閉機構が閉塞される位置へのノズルキャップ７の回動で係合部１９がロック板１４下面へ係合し、かつロック板後端がシリンダ前端部へ係合した状態を保持して、トリガー後方への引寄せを不能にする係合位置と、液体通路開閉機構が開放される位置へのノズルキャップ７の回動で係合部１９がロック板１４下面から反方向へ離脱し、かつ摺動板１３の強制押下げでロック板後端部がシリンダ前端部から下方へ離脱して、トリガー後方への引寄せを可能にする非係合位置とを有する、
ことを特徴とするトリガー式液体噴出容器。
【発明の詳細な説明】
【０００１】
【発明の属する技術分野】
本発明はトリガー式の液体噴出容器に関する。
【０００２】
【従来の技術】
例えば、実開平６−３１８５４号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
また、実開昭６２−１８７６６５号が示すように、上記射出筒前端部へ回動可能に液体噴出孔を有するノズルキャップを嵌合させ、これら嵌合部分に射出筒に対するノズルキャップの回動で射出筒が有する射出筒孔と液体噴出孔とを連通させ、また遮断させることが自在な液体通路開閉機構を設けることも知られている。
【０００４】
【発明が解決しようとする課題】
上記前者の公知例にあっては、不用意にトリガーを引寄せても射出筒前端から液体を噴出するから、このような不用意な液体噴出を防止するための安全装置を設けることが望まれ、また後者公知例はそのような安全装置として設けられたが、該後者公知例にあってもその安全装置を施した状態でトリガーを無理に引寄せると、僅かにトリガーおよびプランジャが後退、前進することで容器体内液体が吸込まれ、その結果吸込み弁から上記射出筒前部とノズルキャップとが形成する液体通路開閉機構までの液体流入部分内へ過剰に液体が流入することとなり、該状態からノズルキャップを回して上記開閉機構を開くと、上記過剰に充填されていた液体が液体噴出孔から噴出するおそれがあった。
本発明はトリガー操作を不能とする安全装置を設けることで、上記のような不用意な液体噴出を防止できるよう設けたものである。
【０００５】
【課題を解決するための手段】
第１の手段として、容器体口頸部へ嵌合させた装着筒１内から主筒２を起立し、該主筒前面からシリンダ３を、かつ主筒上端から射出筒４を、それぞれ前方突設し、又射出筒前部に枢着させて垂設したトリガー５の上方後部に、シリンダ３内へ嵌合させたプランジャ６前端部を連結し、かつトリガーを前方付勢させ、更に射出筒前端部へ回動可能に液体噴出部を有するノズルキャップ７を嵌合させ、これら嵌合部に、射出筒４に対するノズルキャップ７の回動で、射出筒が有する射出筒孔と液体噴出部とを連通させ、又遮断させることが自在な液体通路開閉機構を設け、トリガー５の前後方向揺動で容器体内液体をシリンダ３内へ吸込み、かつ該シリンダ内液体を射出筒前端から噴出可能に設けたトリガー式液体噴出器において、
上記トリガーは前壁８の左右から側壁９を後方突出して両側壁間後面を後壁１０で閉塞し、かつ後壁の上下両端部を切除してトリガー後面に第１開口部１１と、該第１開口部よりも下方に位置する第２開口部１２とを形成し、
上記トリガーの第１、第２開口部間の閉塞空間へ上下動自在に嵌合させた摺動板１３の上端部後面から第１開口部１１を介してロック板１４を後方突設すると共に、摺動板１３の下端部後面から第２開口部１２を介して指掛け突部１５を後方突設してロック部材１６を形成し、
上記ノズルキャップ下部から垂下部１７を介して後方突出部１８を後方突設し、かつ左右方向の一方を正方向に、かつ他方を反方向に定めて、後方突出部の後部正方向側面から係合部１９をロック板１４下方へ突設して回動アーム２０を形成し、かつ係合部１９をロック板下面へ係合させ、
上記ロック部材１６は、上記液体通路開閉機構が閉塞される位置へのノズルキャップ７の回動で係合部１９がロック板１４下面へ係合し、かつロック板後端がシリンダ前端部へ係合した状態を保持して、トリガー後方への引寄せを不能にする係合位置と、液体通路開閉機構が開放される位置へのノズルキャップ７の回動で係合部１９がロック板１４下面から反方向へ離脱し、かつ摺動板１３の強制押下げでロック板後端部がシリンダ前端部から下方へ離脱して、トリガー後方への引寄せを可能にする非係合位置とを有する。
【０００６】
【発明の実施の形態】
以下、本発明に係るトリガー式液体噴出容器の実施形態を図面を参照しながら説明する。
まず、公知のトリガー式液体噴出容器について簡単に説明すると、図示しない容器体口頸部へ嵌合させた装着筒１内から主筒２を起立し、該主筒前面からシリンダ３を、かつ主筒２上端から射出筒４を、それぞれ前方突設し、また射出筒前部に枢着させて垂設したトリガー５の上方後部に、シリンダ３内へ嵌合させたプランジャ６前端部を連結し、かつトリガー５を前方付勢させ、さらに射出筒４前端部へ回動可能に液体噴出部を有するノズルキャップ７を嵌合させ、これら嵌合部に、射出筒４に対するノズルキャップ７の回動で、射出筒４が有する射出筒孔と液体噴出部とを連通させ、また遮断させることが自在な液体通路開閉機構を設け、トリガー５の前後方向揺動で容器体内液体をシリンダ３内へ吸込み、かつ該シリンダ内液体を射出筒４前端から噴出可能に設けている。
なお、トリガー５は、シリンダ３に内装したプランジャ６付勢用のバネによりプランジャを介して前方付勢させるか、または主筒２等のトリガー５以外の部材に一端を取り付けたバネにより前方付勢させる。
【０００７】
本発明では、トリガー５を、前壁８の左右から側壁９を後方突出して両側壁間後面を後壁１０で閉塞する横断面矩形状に形成する。そして、後壁１０の上下方向中間部を残して上下両端部を切除することによりトリガー後面に第１開口部１１と、該第１開口部よりも下方に位置する第２開口部１２とを形成する。
【０００８】
また、トリガー５の第１、第２開口部１１、１２間の矩形状空間へ上下動自在に嵌合させた摺動板１３の上端部後面から第１開口部１１を介してロック板１４を後方突設すると共に、摺動板１３の下端部を前面開口の中空状直方体からなる指掛け突部１５に形成して、該指掛け突部を第２開口部１２からトリガー外へ露出させてロック部材１６を形成する。
なお、ロック板１４下面の左半部を右斜め下へ傾斜する第１傾斜面１４ａに形成する。
【０００９】
さらに、ノズルキャップ７下端部の左側面から板状の垂下部１７を垂下し、該垂下部下端から板状の後方突出部１８を後方突設し、該後方突出部の後部右側面から板状の係合部１９をロック板１４の下方へ突設して、回動アーム２０を形成する。そして、係合部１９の上面を右斜め下へ傾斜させて、回動アーム２０の右方向への回動時に第１傾斜面１４ａへ押付け係合可能な第２傾斜面２１に形成する。係合部１９上面をこのような第２傾斜面２１に形成することにより、回動アーム２０を右方向へ回動させると、第２傾斜面２１が第１傾斜面１４ａへ係合してロック板１４を自動的に上昇させて、ロック板後端面をシリンダ３前下端へ係合させることが可能になる。
【００１０】
しかし、これに限らず、指掛け突部１５へ指を掛けてロック板１４を手動により強制的に上昇させて、その後端面をシリンダ前下端へ係合させた後、回動アーム２０を回動させて、第２傾斜面２１を第１傾斜面１４ａへ係合させることも可能である。
【００１１】
次に本実施形態の作用について説明する。
図１及び図２はロック板１４がシリンダ３に係合していない非係合位置の状態を示すもので、この非係合位置ではトリガー５の後方への引寄せが可能で、かつ図示しない液体通路開閉機構はノズルキャップ７の液体噴出部と射出筒４の射出筒孔とを連通させているため、トリガー５を引き寄せるとノズルキャップ７から液体が噴出する。
【００１２】
噴出後、子供の悪戯等によるトリガー引寄せを防止するには、回動アーム２０を図２において時計方向へ回動させればよく、すると第２傾斜面２１が第１傾斜面１４ａへ係合してロック板１４を自動的に上昇させる。ロック板１４は図３及び図４に示すように、上昇によりその後端面をシリンダ３の前下端面へ係合させるため、トリガー５を後方へ引き寄せることができず液体噴出が不能になる。
しかし、第２傾斜面２１の第１傾斜面１４ａへの係合は、これに限らず、指掛け突部１５に指を掛け摺動板１３を押し上げて、ロック板後端面をシリンダ３の前下端面へ係合させた後、回動アーム２０を回動させて第２傾斜面２１を第１傾斜面１４ａへ係合させてもよい。
【００１３】
一方、ノズルキャップ７の時計方向への回動で液体通路開閉機構が閉塞されるようにしておけば、回動アーム２０の時計方向への回動でノズルキャップ７も同方向へ回動するため液体通路開閉機構が自動的に閉塞される。このように不用意な液体噴出は液体通路開閉機構によっても防止されるため、トリガーロックは不要とも考えられる。
【００１４】
しかし、液体通路開閉機構が閉塞されている場合でもトリガー５は僅かではあるが揺動可能であり、仮にこの液体通路開閉機構の閉塞状態でトリガー５を揺動させると、主筒２に設けた図示しない吸込み弁から液体通路開閉機構までの液体流入部分内へ過剰に液体が流入する過剰充填が生ずる。この過剰充填の状態でノズルキャップ７を回動して液体通路開閉機構を開放すると、トリガー５を引き寄せなくとも液体が噴出するという不具合が生ずる。そこで、これに対処すべくロック部材１６を設けて、液体通路開閉機構の閉塞時にトリガー５の後方への引寄せができないようにしている。
【００１５】
液体を噴出させるには、回動アーム２０を上記と反対方向へ回動させて第２傾斜面２１を第１傾斜面１４ａから左方へ離脱させ、かつ指掛け突部１５へ指を掛け摺動板１３を強制的に押し下げて、ロック板１４の後端面をシリンダ３前下端面から下方へ離脱させる。これによりトリガー５の後方引寄せが可能になる。
なお、上記では回動アーム２０の回動により液体通路開閉機構の開閉とトリガーのロック及びアンロックを行っているが、ノズルキャップ７を回動させて行うことも可能である。
【００１６】
【発明の効果】
請求項１記載のトリガー式液体噴出容器は、回動アームとロック部材とを設けて、液体通路開閉機構の閉塞時にトリガーもロックされるようにしたので、液体通路開閉機構の閉塞後はトリガーを揺動させることができず、このため吸込み弁から液体通路開閉機構までの通路に液体が過剰に充填することがなく、従って、トリガーを引き寄せることなくノズルキャップを開方向へ回すだけで液体が噴出するといった事態が未然に防止される。
【００１７】
また、噴出可能にするためには、回動アームを回動させ、かつロック板を強制的に押し下げるという２段階の操作が必要であり、従って、子供の悪戯による噴出をより困難なものとすることができる。
【図面の簡単な説明】
【図１】本発明に係るトリガー式液体噴出容器のロック部材の非係合位置を示すもので、トリガー左側壁を切欠いて示す一部切欠左側面図。
【図２】同じく、図１の正面図。
【図３】同じく、ロック部材の係合位置を示す図１相当図。
【図４】同じく、図３の正面図。
【符号の説明】
１  装着筒
２  主筒
３  シリンダ
４  射出筒
５  トリガー
６  プランジャ
７  ノズルキャップ
８  前壁
９  側壁
１０  後壁
１１  第１開口部
１２  第２開口部
１３  摺動板
１４  ロック板
１５  指掛け突部
１６  ロック部材
１７  垂下部
１８  後方突出部
１９  係合部
２０  回動アーム
【図１】
0003730027.tif 000002
【図２】
0003730027.tif 000003
【図３】
0003730027.tif 000004
【図４】
0003730027.tif 000005